(57)【特許請求の範囲】
【請求項１】
圧縮機（１）と、室外熱交換器（２）と、減圧機構（３）と、室内熱交換器（４）と、四路切換弁（５）とを備え、冷房モードと暖房モードとの切換を上記四路切換弁（５）にて行い、少なくともいずれかの一方の上記熱交換器の温度とその周囲の温度とを比較して、その温度差が設定正常温度差範囲外であるときに、上記四路切換弁（５）が動作異常であると判定して運転を停止する空気調和機であって、暖房モードにおいては、運転開始から所定時間経過後に上記判定を行い、冷房モードにおいては、運転開始時から上記判定を行なうことを特徴とする空気調和機。
【請求項２】
圧縮機（１）と、室外熱交換器（２）と、減圧機構（３）と、室内熱交換器（４）と、四路切換弁（５）とを備え、冷房モードと暖房モードとの切換を上記四路切換弁（５）にて行い、少なくともいずれかの一方の上記熱交換器の温度とその周囲の温度とを比較して、その温度差が設定正常温度差範囲外であるときに、上記四路切換弁（５）が動作異常であると判定して運転を停止する空気調和機であって、冷房モードにおいては、運転開始時から上記判定を行なうと共に、運転開始から所定時間経過後に上記判定とは別の判定を行うべく構成し、上記運転開始時からの判定における設定正常温度差範囲を、運転開始から所定時間経過後の判定における設定正常温度差範囲よりも大きくしたことを特徴とする空気調和機。
【請求項３】
圧縮機（１）と、室外熱交換器（２）と、減圧機構（３）と、室内熱交換器（４）と、四路切換弁（５）とを備え、冷房モードと暖房モードとの切換を上記四路切換弁（５）にて行い、少なくともいずれかの一方の上記熱交換器の温度とその周囲の温度とを比較して、その温度差が設定正常温度差範囲外であるときに、上記四路切換弁（５）が動作異常であると判定して運転を停止する空気調和機であって、上記圧縮機（１）の判定用の周波数下限値を設定して、この周波数下限値よりも圧縮機（１）の周波数が高いときに上記判定を行うべく構成し、さらに圧縮機（１）の指示周波数が上記周波数下限値よりも低いときには、圧縮機（１）の周波数を上記周波数下限値を超えさせてから上記判定を行うことを特徴とする空気調和機。
【請求項４】
いずれかの一方の上記熱交換器が上記室内熱交換器（４）であることを特徴とする請求項１〜請求項３のいずれかの空気調和機。
【発明の詳細な説明】
【０００１】
【発明の属する技術分野】
この発明は、空気調和機に関するものである。
【０００２】
【従来の技術】
空気調和機は、一般に、圧縮機と、室外熱交換器と、減圧機構と、室内熱交換器とを備え、室外熱交換器を凝縮器として機能させると共に、室内熱交換器を蒸発器として機能させることによって冷房を行う一方、室外熱交換器を蒸発器として機能させると共に、室内熱交換器を凝縮器として機能させることによって暖房運転を行っている。そして、この冷房モードと暖房モードとの切換は、四路切換弁を切換ることによって行っていた。
【０００３】
【発明が解決しようとする課題】
そのため、四路切換弁が正常に作動しなければ、冷房運転を行わせるようとして冷房モードに切換操作しても、暖房モードとなって暖房運転が行われたり、逆に、暖房運転を行わせるようとして暖房モードに切換操作しても、冷房モードとなって冷房運転が行われたりするおそれがあった。
【０００４】
このように、四路切換弁が異常であれば、正規の運転を行うことができず、室内が設置された室内を快適空間にできないと共に、室内熱交換器が凍結したり、室内熱交換器から水漏れ等が発生したり、さらには、空調調和機がシステム的に危険状態となったりするおそれがあった。
【０００５】
この発明は、上記従来の欠点を解決するためになされたものであって、その目的は、四路切換弁の誤動作を速やかに判定して、間違ったモードでの冷暖房運転を防止することができる空気調和機を提供することにある。
【０００６】
【課題を解決するための手段】
そこで請求項１の空気調和機は、圧縮機１と、室外熱交換器２と、減圧機構３と、室内熱交換器４と、四路切換弁５とを備え、冷房モードと暖房モードとの切換を上記四路切換弁５にて行い、少なくともいずれかの一方の上記熱交換器の温度とその周囲の温度とを比較して、その温度差が設定正常温度差範囲外であるときに、上記四路切換弁５が動作異常であると判定して運転を停止する空気調和機であって、暖房モードにおいては、運転開始から所定時間経過後に上記判定を行い、冷房モードにおいては、運転開始時から上記判定を行なうことを特徴としている。
【０００７】
上記請求項１の空気調和機では、冷房モードに切換えて冷房運転を行う場合に四路切換弁５が正常に機能すれば、室外熱交換器２が凝縮器として機能すると共に、室内熱交換器４は蒸発器として機能する。ところが、四路切換弁５が故障等で誤動作すれば、室外熱交換器２が蒸発器として機能すると共に、室内熱交換器４が凝縮器として機能する。このため、室内側では、室内熱交換器４の温度とその周囲の温度（室内の温度）との差がほとんどないか、又は室内熱交換器４の温度が室内の温度よりも高くなり、また、室外側では、室外熱交換器２の温度とその周囲の温度（外気の温度）との差がほとんどないか、又は室外熱交換器２の温度が外気の温度よりも低くなる。従って、いずれかの熱交換器の温度とその周囲の温度とを比較して、この差が予め設定した設定正常温度範囲差外の場合をこの四路切換弁が動作異常であると判断することが可能である。
【０００８】
また、暖房モードに切換えた場合に、四路切換弁５が正常に動作すれば、室外熱交換器２が蒸発器として機能すると共に、室内熱交換器４は凝縮器として機能する。ところが、四路切換弁５が動作異常であれば、室外熱交換器２が凝縮器として機能すると共に、室内熱交換器４は蒸発器として機能する。このため、室内側では、室内熱交換器４の温度と室内の温度との差がほとんどないか、又は室内熱交換器４の温度が室内の温度よりも低くなり、室外側では、室外熱交換器２の温度とその周囲の温度（外気の温度）との差がほとんどないか、又は室外熱交換器２の温度が外気の温度よりも高くなる。従って、冷房モードと同様、いずれかの熱交換器の温度とその周囲の温度とを比較して、この差が予め設定した設定正常温度範囲差外の場合をこの四路切換弁５が動作異常であると判断することが可能である。
【０００９】
このため、この空気調和機では、冷房モードであっても暖房モードであっても、四路切換弁５の動作異常を把握することができ、異常状態（四路切換弁が故障して正常に動作しない状態）でのこの空気調和機の運転を停止することができる。また、暖房モードにおいては、運転開始時（立ち上がり時）の安定しない状態では動作異常の判定を行わず、所定時間経過後の安定した状態で動作異常の判断を行うものであるので、この判定の信頼性が向上する。さらに、冷房モードにおいては、運転開始から四路切換弁が正常か否かの判定を行うことができるので、冷房モードにおける過負荷時に発生する急激な温度上昇を直ちに検出（検知）することができる。すなわち、冷房モードでの暖房運転は、通常の暖房モードでの暖房運転時よりも高い過負荷状態となるので、この状態で運転が継続されることは好ましくなく、この空気調和機によれば、運転開始の早い段階で、この過負荷時の急激な温度上昇を停止させることができる。
【００１０】
請求項２の空気調和機は、圧縮機１と、室外熱交換器２と、減圧機構３と、室内熱交換器４と、四路切換弁５とを備え、冷房モードと暖房モードとの切換を上記四路切換弁５にて行い、少なくともいずれかの一方の上記熱交換器の温度とその周囲の温度とを比較して、その温度差が設定正常温度差範囲外であるときに、上記四路切換弁５が動作異常であると判定して運転を停止する空気調和機であって、冷房モードにおいては、運転開始時から上記判定を行なうと共に、運転開始から所定時間経過後に上記判定とは別の判定を行うべく構成し、上記運転開始時からの判定における設定正常温度差範囲を、運転開始から所定時間経過後の判定における設定正常温度差範囲よりも大きくしたことを特徴としている。
【００１１】
請求項２の空気調和機では、冷房モードにおいては、運転開始から四路切換弁が正常か否かの判定を行うことができるので、冷房モードにおける過負荷時に発生する急激な温度上昇を直ちに検出（検知）することができる。すなわち、冷房モードでの暖房運転は、通常の暖房モードでの暖房運転時よりも高い過負荷状態となるので、この状態で運転が継続されることは好ましくなく、この空気調和機によれば、運転開始の早い段階で、この過負荷時の急激な温度上昇を停止させることができる。しかも、所定時間経過後の安定した状態においても、動作異常の判断を行うものであるので、判定の信頼性が向上する。
【００１２】
請求項３の空気調和機は、圧縮機１と、室外熱交換器２と、減圧機構３と、室内熱交換器４と、四路切換弁５とを備え、冷房モードと暖房モードとの切換を上記四路切換弁５にて行い、少なくともいずれかの一方の上記熱交換器の温度とその周囲の温度とを比較して、その温度差が設定正常温度差範囲外であるときに、上記四路切換弁５が動作異常であると判定して運転を停止する空気調和機であって、上記圧縮機１の判定用の周波数下限値を設定して、この周波数下限値よりも圧縮機１の周波数が高いときに上記判定を行うべく構成し、さらに圧縮機１の指示周波数が上記周波数下限値よりも低いときには、圧縮機１の周波数を上記周波数下限値を超えさせてから上記判定を行うことを特徴としている。
【００１３】
上記請求項３の空気調和機では、圧縮機１の周波数が、判定用の周波数下限値を超えていれば、熱交換器２、４等はそれぞれの機能を発揮し、熱交換器２、４の温度と周囲の温度とは十分温度差がある状態となる。これにより、確実に判定を行うことができる。また、圧縮機１の指示周波数が上記周波数下限値よりも低いときには、圧縮機１の周波数を上記周波数下限値を超えさせてから判定を行うが、これは、熱交換器２、４等がそれぞれの機能を十分発揮する周波数まで運転周波数を上昇させ、この状態で判断させるためであり、熱交換器２、４の温度と周囲の温度とは十分に温度差がある状態となって、これにより、より確実に判定を行うことができる。
【００１４】
請求項４の空気調和機は、いずれかの一方の上記熱交換器が上記室内熱交換器４であることを特徴としている。
【００１５】
請求項４の空気調和機では、判定を室内側のみで行うので、判定の簡略化を図ることができ、しかも、室内側のみであっても、正常状態と異常状態では充分な温度差を有し、正確に判定することができる。
【００１８】
【発明の実施の形態】
この発明の空気調和機の具体的な実施の形態について、図面を参照しつつ詳細に説明する。図２は空気調和機の簡略図である。空気調和機は、圧縮機１と、室外熱交換器２と、減圧機構３と、室内熱交換器４と、四路切換弁５とを備え、冷房モードと暖房モードとの切換を上記四路切換弁５にて行う。
【００１９】
すなわち、圧縮機１の吐出路６が四路切換弁５の一方の１次ポートに接続され、四路切換弁５の一方の２次ポートと室外熱交換器２とが第１ガス管７にて接続され、室外熱交換器２と減圧機構３とが第１液管８にて接続され、減圧機構３と室内熱交換器４とが第２液９にて接続され、室内熱交換器４と四路切換弁５の他方の２次ポートとが第２ガス管１０にて接続され、四路切換弁５の他方の１次ポートに圧縮機１の吸込管１１が接続されている。
【００２０】
従って、四路切換弁５を図２の実線で示す状態に切換えて圧縮機１を駆動すると、冷媒は、圧縮機１→四路切換弁５→室外熱交換器２→減圧機構３→室内熱交換器４→四路切換弁５→圧縮機１と流れる。これによって、室外熱交換器２が凝縮器として機能すると共に、室内熱交換器４が蒸発器として機能して、冷房運転が行われる。また、四路切換弁５を図２の破線で示す状態に切換えて圧縮機１を駆動すると、冷媒は、圧縮機１→四路切換弁５→室内熱交換器４→減圧機構３→室外熱交換器２→四路切換弁５→圧縮機１と流れる。これによって、室外熱交換器２が蒸発器として機能すると共に、室内熱交換器４が凝縮器として機能して、暖房運転が行われる。
【００２１】
また、空気調和機は、図１に示すように、室外熱交換器２の温度を検知する外熱交温センサー１５と、室外の温度を検知する外気センサー１６と、室内熱交換器４の温度を検知する内熱交温センサー１７と、室内の温度（室温）を検知する室温センサー１８等を備え、これらの各センサー１５、１６、１７、１８にて検知された温度が、マイクコンピュータ等にて構成される制御部２０に入力される。制御部２０は、回転数比較部２１と、センサー温度比較部２２と、計時部２３と、異常判断部２４等を備える。なお、各センサー１５、１６、１７、１８は例えばサーミスタ等にて構成される。
【００２２】
回転数比較部２１は、圧縮機１の回転数（周波数）を検出する検出手段２５からその検出値、つまり回転数が入力され、予め設定された下限制限値（周波数下限値）とこの検出値とを比較するものであり、この検出値が下限制限値を下回っていれば、圧縮機１に回転数を増加させるように指示したりする。
【００２３】
また、センサー温度比較部２２は、上記各センサー１５、１６、１７、１８からの検出された各温度が入力され、室温と内熱交温（室内熱交換器４の温度）との差を、予め設定された室内用の基準値と比較すると共に、外気（室外の温度）と外熱交温（室外熱交換器２の温度）との差を、予め設定された室外用の基準値と比較する。計時部２３は、上記センサー温度比較部２２の判断を行う時間等を計るものである。そして、異常判断部２４は、上記センサー温度比較部２２の判断が異常判断であれば、運転を停止させるものである。
【００２４】
ところで、冷房運転を行うには、四路切換弁５が図２の実線で示す状態（冷房モード）に切換わる必要があり、また、暖房運転を行うには、四路切換弁５が図２の破線で示す状態（暖房モード）に切換わる必要がある。しかしながら、四路切換弁５が故障等にて動作不良を起こして、冷房モードに切換えようとして、図示省略のリモコン等の切換スイッチを操作しても冷房モードに切換わらず、逆に、暖房モードに切換えようとして、上記切換スイッチを操作しても暖房モードに切換わらない場合がある。
【００２５】
すなわち、冷房モードで異常状態が発生すれば、室内熱交換器４が蒸発器として機能せずに、凝縮器として機能することになり、室内熱交換器４の温度も高温状態となって、室内熱交換器４の温度と室温との差は小さいものとなるか、又は室内熱交換器４の温度が室温よりも高くなる。従って、この室温から室内熱交換器４との温度を引いた値がある値（例えば、２℃）よりも小さくなれば、四路切換弁５が正常に作動していない異常状態であるといえる。これに対して、正常に作動していれば、室内熱交換器４は蒸発器として機能し、室内熱交換器４の温度は下降して、室内温度よりも大きく低下する。このため、この室温から室内熱交換器４を引いた値がある値（例えば、２℃）よりも大きければ、正常であるといえる。また、外気と室外熱交換器２の温度を比較した場合、異常状態では、室外熱交換器２の温度が低下して、室外熱交換器２の温度から外気の温度を引いた値はある値（例えば、２℃）よりも小さいものとなり、正常状態では、室外熱交換器２の温度が上昇して、室外熱交換器２の温度から外気の温度引いた値はある値（例えば、２℃）よりも大きくなる。
【００２６】
暖房モードで異常状態が発生すれば、室内熱交換器４が凝縮器として機能せずに、蒸発器として機能することになり、室内熱交換器４の温度は下降して、室内熱交換器４の温度と室温との差は小さいものとなるか、又は室内熱交換器４の温度は低くなる。従って、室内熱交換器４から室温を引いた値がある値（例えば、２℃）よりも小さくなれば、四路切換弁５が正常に作動していない異常状態であるといえる。これに対して、正常に作動していれば、室内熱交換器４は凝縮器として機能し、室内熱交換器４の温度は上昇して、室内温度との差が大きくなる。このため、室内熱交換器４から室温を引いた値がある値（例えば、２℃）よりも大きければ、正常であるといえる。また、外気と室外熱交換器２の温度を比較した場合、異常状態では、室外熱交換器２の温度が上昇して、外気から室外熱交換器２の温度を引いた値がある値（例えば、２℃）よりも小さくなり、正常状態では、室外熱交換器２の温度が低下して、外気から室外熱交換器２の温度を引いた値がある値（例えば、２℃）よりも大きくなる。
【００２７】
従って、上記センサー温度比較部２２では、冷房モードにおいては、室温から内熱交温を引いた値を、所定値（例えば、２℃）と比較すると共に、外熱交温から外気を引いた値を、所定値（例えば、２℃）と比較して、異常か否かを判断する。すなわち、（室温−内熱交温）＜Δｄａｃ１（２℃）及び（外熱交温−外気）＜Δｄｅｏａ１（２℃）の関係が成り立つ場合を異常状態とし、いずれかがこの関係が成り立たない場合を正常状態とする。この場合、どちらかの関係のみでもって判定するようにしてもよい。すなわち、室内側及び室外側の両者で判定する他、室内側又は室外側のみの判定であってもよい。
【００２８】
また、暖房モードにおいては、内熱交温から室温を引いた値を、所定値（例えば、２℃）と比較すると共に、外気から外熱交温を引いた値を、所定値（例えば、２℃）と比較して、異常か否かを判断する。すなわち、（内熱交温−室温）＜Δｄｃａ１（２℃）及び（外気−外熱交温）＜Δｄｏａｅ１（２℃）の関係が成り立つ場合を異常状態とし、いずれかがこの関係が成り立たない場合を正常状態とする。この場合も、室内側又は室外側のみの判定であってもよい。
【００２９】
ところで、上記の判断は、運転開始から所定時間（例えば、１０分程度）経過した後に行うものであるが、冷房モードにおいて、異常状態であれば、高圧側が急激に上昇するおそれがあり、このような場合には、システム的に大変危険であるので、この所定時間に関係なく異常状態か否かを判断するのが好ましい。すなわち、冷房モードにおいては、暖房運転が行われることにより発生する過負荷にて室内熱交換器４が急激に温度上昇するので、これを検出してこのような状態での運転を回避しようとするものである。この場合、室温から内熱交温を引いた値を、所定値（例えば、−１４℃）と比較すると共に、外熱交温から外気を引いた値を、所定値（例えば、−２℃）と比較して、異常か否かを判断する。すなわち、（室温−内熱交温）＜Δｄａｃ２（−１４℃）及び（外熱交温−外気）＜Δｄｅｏａ２（−２℃）の関係が成り立つ場合を異常状態とし、いずれかがこの関係が成り立たない場合を正常状態とする。この場合も、室内側又は室外側のみの判定であってもよい。
【００３０】
次に、上記のように構成された空気調和機の具体的な運転制御について図３〜図５のフローチャート図を使用して説明する。まず、運転を開始して、ステップＳ１で圧縮機１の周波数（指示周波数）が下限制限値（ＦＣＷ）よりも低いかを判断する。このステップＳ１で指示周波数がＦＣＷよりも低い場合はステップＳ２へ移行して、周波数（回転数）の下限制限を行う。すなわち、図１に示すように、圧縮機１の周波数（回転数）を検出手段２５にて検出し、この検出した現在の回転数と下限制限値とを回転数比較部２１にて比較し、下限値を下回っていれば、回転数が下限値を超えるの待つか、回転数指示指令を行って回転数を増加させて下限値を超えさせる。これは、室内熱交換器４及び室外熱交換器２等がそれぞれの機能を十分発揮する周波数（回転数）まで上昇させ、この状態で判断させるためであり、正常に動作していれば、室内熱交換器４の温度と室内の温度とは十分に温度差がある状態となる。これにより、より確実に判定を行うことができるからである。
【００３１】
そして、周波数が下限制限を超えていれば、ステップＳ３へ移行して、運転開始から所定時間Ｔ１（例えば、１０分）が経過したか否かを判断する。経過していなければ、後述する▲１▼に進み、経過していれば、ステップＳ４へ移行する。これは、運転開始からある程度の時間が経過しなければ、冷媒回路等が安定しないので、安定するまで、異常・正常の判定を行わないようにするためである。ステップＳ４で冷房サイクル（冷房モード）か否かを判断する。冷房サイクルでなければ、後述する▲４▼に進み、冷房サイクルであれば、ステップＳ５へ移行する。
【００３２】
ステップＳ５では、（室温−内熱交温）＜Δｄａｃ１（２℃）及び（外熱交温−外気）＜Δｄｅｏａ１（２℃）の関係が成り立つか否かを判断する。いずれかが関係が成り立たない場合、例えば、室温が２７℃で、内熱交温が１５℃であれば、この関係は成り立たないので、正常と判断してこのモードでの運転を継続する。そして、このステップＳ５で上記両関係が成り立つ場合、異常と判断する。この異常と判断した場合、ステップＳ６へ移行して、この異常状態が所定時間Ｔ２（例えば、６０秒）が継続しているかを判断し、継続していれば、ステップＳ７へ移行して、「四路弁切換異常」であると決定して、運転を停止する。また、所定時間Ｔ２の間この異常状態が継続しなければ、正常状態に戻っている場合もあり、ステップ５に戻る。
【００３３】
また、▲１▼に進んだ場合、図４のステップＳ８へ移行する。ステップＳ８では、上記ステップＳ４と同様、冷房サイクル（冷房モード）か否かを判断する。すなわち、運転開始から所定時間Ｔ１が経過しなくても冷房モードか否かの判断を行う。そして、冷房モードでなければ、図３の▲２▼へ戻る。このステップＳ８で冷房モードであれば、ステップＳ９へ移行する。ステップＳ９で、（室温−内熱交温）＜Δｄａｃ２（−１４℃）及び（外熱交温−外気）＜Δｄｅｏａ２（−２℃）の関係が成り立つか否かを判断する。いずれかが成り立たない場合、図３の▲３▼へ戻る。そして、この両関係が成り立つ場合、異常状態と判断してステップＳ１０へ移行して、この異常状態が所定時間Ｔ３（例えば、１２０秒）の間この異常状態が継続しているかを判断し、継続していれば、ステップＳ１１へ移行して、「四路弁切換異常」であると決定して、運転を停止する。また、所定時間Ｔ３の間この異常状態が継続しなければ、正常状態に戻っている場合もあり、ステップ９に戻る。
【００３４】
この図４の運転制御は、冷房モードにおいて暖房運転が行われたときにおいて、過負荷時の急激な温度上昇を防止するものである。すなわち、冷房モードでの暖房運転は、通常の暖房モードでの暖房運転時よりも高い過負荷状態となるので、この状態で運転が継続されることは好ましくなく、運転開始の早い段階で、この過負荷時の急激な温度上昇を停止しようとするものである。例えば、室温が２７℃で、内熱交温が急激に温度上昇して４２℃等となれば、ステップ９での関係が成り立ち、このような急激な温度上昇を検知して、運転を直ちに停止ようとするものである。
【００３５】
また、図１において▲４▼に進んだ場合、つまり、暖房サイクルである場合、図５のステップ１２へ移行する。ステップ１２で、（内熱交温−室温）＜Δｄｃａ１（２℃）及び（外気−外熱交温）＜Δｄｏａｅ１（２℃）の関係が成り立つか否かを判断する。このいずれかの関係が成り立たない場合、例えば、室温が１０℃で、内熱交温が２５℃であれば、この関係は成り立たないので、正常と判断してこのモードでの運転を継続する。そして、この両関係が成り立つ場合、異常と判断する。この異常と判断した場合、ステップＳ１３へ移行して、この異常状態が所定時間Ｔ２（例えば、６０秒）の間この異常状態が継続しているかを判断し、継続していれば、ステップＳ１４へ移行して、「四路弁切換異常」であると決定して、運転を停止する。また、所定時間Ｔ２の間この異常状態が継続しなければ、正常状態に戻っている場合もあり、ステップ１２に戻る。
【００３６】
図６に冷房モードのタイムチャート図を示す。この場合、停止状態から冷房モードへの運転指令を行って、四路切換弁５の切換え動作を行うと共に、圧縮機１を駆動させる。そして、運転開始から所定時間（ｔｃｗｃｈｋ１：Ｔ１）経過した後、室温（ｄａ）−内熱交温（ｄｃ）、及び外熱交温（ｄｅ）−外気（ｄｏａ）から異常か正常かを判定する。すなわち、ｄａ−ｄｃが、室内温度と室内判断値との差より大きくなるか、ｄｅ−ｄｏａが、室外温度（外気）と室外判断値との差より大きくなれば、正常と判断され、この冷房モードでの運転が継続され、ｄａ−ｄｃ、及びｄｅ−ｄｏａがこのように大きくならなければ、異常であると判断され、さらに、所定時間（ｔｃｗｃｈｋ２：Ｔ２）の間、この異常状態が継続するかが判断され、継続されれば、この冷房モードでの運転が停止される。なお、この図６においては、図４に示す過負荷時の急激な温度上昇のための保護の動作については省略している。
【００３７】
このように、この空気調和機によれば、いずれかの熱交換器の温度とその周囲の温度とを比較して、その温度差が設定正常温度差範囲外であるときに、上記四路切換弁５が動作異常であると判定して運転を停止するものであり、この異常状態での運転を検出することができて、誤った状態での運転を回避することができる。これにより、室内熱交換器４の凍結やこの室内熱交換器４からの水漏れを防止することができる。また、利用者（ユーザー）は異常であることを把握することができるので、直ちに修理等を行うことができ、正常に運転を行うことができる状態に戻すことができる。
【００３８】
以上にこの発明の具体的な実施の形態について説明したが、この発明は上記形態に限定されるものではなく、この発明の範囲内で種々変更して実施することができる。例えば、室外熱交換器２の温度と室外温度との差に基づく判定（判断）を省略してもよい。これは、室内熱交換器４の温度と室内温度との差に基づく判定にて、十分四路切換弁５の動作異常を判定することができ、しかも、判定の簡略化を図ることができて、異常状態での運転時間の短縮を図ることができ、不快となる運転を早期に防止することができるからである。しかしながら、室内側の判定と室外側の判定との両方の判定を行えば、より精度よく判定することができる利点がある。また、設定正常温度差範囲（Δｄａｃ１、Δｄｃａ１）や冷房モードにおいて過負荷時の判断を行う設定値（ｄａｃ２）の変更も可能である。さらに、判定開始時間の所定時間としては、冷媒回路が安定した運転状態となる時間の範囲で変更可能である。また、室内熱交換器４の凍結防止機能や室内熱交換器４の高温防止機能等を有する空気調和機では、これらによって、四路切換弁５の切換が正常であると考えられる制御が作動したときには、上記のような四路切換弁５の動作判断を行わないように設定してもよい。また、動作判断を行った場合、圧縮機１は比較的高い一定の周波数となっており、通常の運転に戻す際に通常運転用の周波数に戻す必要がある。なお、この発明の四路切換弁５としては、この種の空気調和機に一般に使用されるものである。
【００３９】
【発明の効果】
請求項１の空気調和機によれば、冷房モードであっても暖房モードであっても、四路切換弁の動作異常を把握することができ、異常状態（四路切換弁が故障して正常に動作しない状態）でのこの空気調和機の運転を停止することができる。これにより、室内熱交換器の凍結や室内熱交換器からの水漏れ等を有効に防止することができると共に、動作異常を起こす四路切換弁の修理等を行って正常運転が行われる状態に戻すことができる。また、暖房モードにおいては、運転開始時（立ち上がり時）の安定しない状態では動作異常の判定を行わず、所定時間経過後の安定した状態で動作異常の判断を行うものであるので、この判定の信頼性が向上し、誤った状態での運転を確実に防止することができる。さらに、冷房モードにおいては、冷房モードにおける過負荷時の急激な温度上昇を防止することができ、空気調和機全体としての故障等を確実に防止することができる。これにより、空気調和機として耐用性に優れたものとなる。
【００４０】
請求項２の空気調和機によれば、冷房モードにおける過負荷時の急激な温度上昇を防止することができ、空気調和機全体としての故障等を確実に防止することができる。これにより、空気調和機として耐用性に優れたものとなる。しかも、所定時間経過後の安定した状態においても、動作異常の判断を行うものであるので、判定の信頼性が向上する。
【００４１】
請求項３の空気調和機によれば、正常状態と異常状態との判定（判断）をより確実に行うことができ、間違ったモードでの冷暖房運転を安定して防止することができる。さらに、熱交換器等がそれぞれの機能を十分発揮する周波数まで運転周波数を上昇させ、この状態で判断させるため、より確実に判定を行うことができる。
【００４２】
請求項４の空気調和機によれば、判定を室内側のみで行うので、判定の簡略化を図ることができる。このため、異常状態での運転時間の短縮を図ることができ、不快となる運転を早期に防止することができる。しかも、室内側のみであっても、正常状態と異常状態では充分な温度差を有し、正確に判定することができる。これにより、安定して動作異常を検知することができる。
【図面の簡単な説明】
【図１】この発明の空気調和機の実施形態を示す簡略構成図である。
【図２】上記空気調和機の簡略図である。
【図３】上記空気調和機の運転動作を示すフローチャート図である。
【図４】上記空気調和機の運転動作を示すフローチャート図である。
【図５】上記空気調和機の運転動作を示すフローチャート図である。
【図６】上記空気調和機の運転動作を示すタイムチャート図である。
【符号の説明】
１  圧縮機
２  室外熱交換器
３  減圧機構
４  室内熱交換器
５  四路切換弁
【図１】
0003589203.tif 000002
【図２】
0003589203.tif 000003
【図３】
0003589203.tif 000004
【図４】
0003589203.tif 000005
【図５】
0003589203.tif 000006
【図６】
0003589203.tif 000007